(57)【要約】      （修正有）【課題】収納箱が重ねて置かれても、下の収納箱内の物を容易に取り出せる組立式紙製収納箱。【解決手段】第一基板１の左右折り曲げ線２，２と左右外側板３，３を設け、外側折り曲げ線４，４と左右内側板５，５を設け、第一基板１の前側折り曲げ線８を介し、前部外側板９左右折り曲げ線１０，１０を介して左右外側板３，３と左右内側板５，５との重ね合わせ部間に差し込む左右差し込み片１１，１１を設け、第一基板１の後側辺に折り曲げ線１２を介して後部側板１３を設け、後部側板１３の左右折り曲げ線１４，１４を介して左右外側板３，３と左右内側板５，５と重ね合わせ部間に後部側から差し込む差し込み片１５，１５を設け、後部側板１３の外側辺に折り曲げ線１６を介して四角形の第二基板１７を設け、左右折り曲げ線２０，２０を介して左右の差し込み側板２１，２１を設け、第二基板１７の折り曲げ線１８を介して差し込み前部内側板１９を設けた。【選択図】図１
2009234653.tif 000002
【特許請求の範囲】
【請求項１】
展開状態において、四角形の第一基板の左右側辺に折り曲げ線をそれぞれ介して左右外側面板がそれぞれ設けられ、前記各左右外側面板の外側辺にそれぞれ折り曲げ線を介して左右内側面板がそれぞれ設けられ、前記第一基板の前側辺に折り曲げ線を介して前部外側面板が設けられ、前記前部外側面板の左右側辺に折り曲げ線をそれぞれ介して前記左右外側面板と前記左右内側面板との重ね合わせ部間に前部側から差し込まれる左右差し込み片がそれぞれ設けられ、前記第一基板の後側辺に折り曲げ線を介して後部側面板が設けられ、前記後部側面板の左右側辺に折り曲げ線をそれぞれ介して前記左右外側面板と前記左右内側面板との重ね合わせ部間に後部側から差し込まれる左右差し込み片がそれぞれ設けられ、前記後部側面板の外側辺に折り曲げ線を介して四角形の第二基板が設けられ、前記第二基板の左右側辺には折り曲げ線をそれぞれ介して左右の差し込み側面板がそれぞれ設けられ、前記第二基板の外側辺に折り曲げ線を介して差し込み前部内側面板が設けられていることを特徴とする組立式紙製収納箱。
【請求項２】
前記左右内側面板の外側端縁に差し込み片が突出してそれぞれ設けられ、前記第一基板の左右側辺に前記折り曲げ線に沿って前記各差し込み片をそれぞれ差し込むスリットがそれぞれ設けられていることを特徴とする請求項１に記載の組立式紙製収納箱。
【請求項３】
前記第一基板又は第二基板の内面上に引き出し板が引き出し可能に配置され、前記引き出し板には折り曲げ線を介して引き出し取っ手板が設けられていることを特徴とする請求項１または２に記載の組立式紙製収納箱。
【発明の詳細な説明】
【技術分野】
【０００１】
本発明は、テープ、ファスナ、接着剤等の接続手段が不要であり、組立、解体が容易であり、積み重ねても物の出し入れが容易な組立式紙製収納箱に関するものである。
【背景技術】
【０００２】
従来、段ボール等の紙製で、テープ、ファスナ、接着剤等の接続手段が不要であり、組立、解体が容易であり、積み重ねても物の出し入れが容易な組立式紙製収納箱が提案されている（例えば、特許文献１，２参照。）。
【特許文献１】特開平１０−４５１２２号公報
【特許文献２】実用新案登録第３１３３６６８号公報
【発明の開示】
【発明が解決しようとする課題】
【０００３】
しかしながら、従来のこの種の組立式紙製収納箱は、開口を行う正面が上部になっていたので、例えば内部にコピー用紙やファックス用紙の束をサイズ毎に収納していた場合、収納箱の上に別の収納箱が重ねて置かれることが多く、下の段の収納箱内の物を取り出すには上の段の収納箱を下ろしてからでないと取り出せない問題点があった。
【０００４】
本発明の目的は、収納箱が重ねて置かれていても、下の段の収納箱内の物を容易に取り出せる組立式紙製収納箱を提供することにある。
【０００５】
本発明の他の目的は、収納箱が重ねて置かれていても、機械的強度が十分に得られる組立式紙製収納箱を提供することにある。
【０００６】
本発明の他の目的は、内部の物を容易に取り出せる組立式紙製収納箱を提供することにある。
【課題を解決するための手段】
【０００７】
上記の目的を達成するために、請求項１に記載の発明は、展開状態において、四角形の第一基板の左右側辺に折り曲げ線をそれぞれ介して左右外側面板がそれぞれ設けられ、前記各左右外側面板の外側辺にそれぞれ折り曲げ線を介して左右内側面板がそれぞれ設けられ、前記第一基板の前側辺に折り曲げ線を介して前部外側面板が設けられ、前記前部外側面板の左右側辺に折り曲げ線をそれぞれ介して前記左右外側面板と前記左右内側面板との重ね合わせ部間に前部側から差し込まれる左右差し込み片がそれぞれ設けられ、前記第一基板の後側辺に折り曲げ線を介して後部側面板が設けられ、前記後部側面板の左右側辺に折り曲げ線をそれぞれ介して前記左右外側面板と前記左右内側面板との重ね合わせ部間に後部側から差し込まれる左右差し込み片がそれぞれ設けられ、前記後部側面板の外側辺に折り曲げ線を介して四角形の第二基板が設けられ、前記第二基板の左右側辺には折り曲げ線をそれぞれ介して左右の差し込み側面板がそれぞれ設けられ、前記第二基板の外側辺に折り曲げ線を介して差し込み前部内側面板が設けられていることを特徴とする。
【０００８】
請求項２に記載の発明は、請求項１に記載の、前記左右内側面板の外側端縁に差し込み片が突出してそれぞれ設けられ、前記第一基板の左右側辺に前記折り曲げ線に沿って前記各差し込み片をそれぞれ差し込むスリットがそれぞれ設けられていることを特徴とする。
【０００９】
請求項３に記載の発明は、請求項１または２に記載の、前記第一基板又は第二基板の内面上に引き出し板が引き出し可能に配置され、前記引き出し板には折り曲げ線を介して引き出し取っ手板が設けられていることを特徴とする。
【発明の効果】
【００１０】
請求項１に記載の組立式紙製収納箱によれば、第一基板の左右側辺の折り曲げ線から左右外側面板を谷折りして立ち上げ、次に、前記第一基板の後側辺の折り曲げ線から後部側面板を谷折りして立ち上げると共に、前記後部側面板の左右側辺の折り曲げ線から左右差し込み片を谷折りして前記第一基板の左右側辺から立ち上がっている左右外側面板の内向き面に沿わせ、次に、前記各左右外側面板の外側辺の折り曲げ線から左右内側面板を谷折りして前記左右外側面板の内向き面に重ね、前記左右差し込み片を左右外側面板と左右内側面板との重ね合わせ部間の後部側に差し込まれた状態に挟持し、次に、前記後部側面板の外側辺の折り曲げ線から第二基板を前記第一基板と対向するように谷折りすると共に、前記第二基板の左右側辺の折り曲げ線から左右の差し込み側面板を谷折りして前記左右内側面板の内向き面に沿って差し込み、且つ前記第二基板の外側辺の折り曲げ線から差し込み前部内側面板を谷折りし、次に、前記第一基板の前側辺の折り曲げ線から前部外側面板を谷折りして立ち上げて前記差し込み前部内側面板の外向き面に当て、且つ前記前部外側面板の左右側辺の折り曲げ線から左右差し込み片を谷折りして前記左右外側面板と前記左右内側面板との重ね合わせ部間に前部側から差し込み、前記差し込み前部内側面板を差し込まれた状態とすることにより組み立てることができる。
【００１１】
このようにして組み立てられた組立式紙製収納箱は、任意に前記第一基板又は前記第二基板の何れか一方を天板とし他方を底板として使用でき、そして、１つの側面を構成する前記前部外側面板と差し込み前部内側面板が蓋部となって開口されるようになっているので、この収納箱が重ねて置かれていて、下の段の収納箱内の収納物を取り出す際に、上の段の収納箱を下ろすことなく、側面を開口させることにより収納物を容易に取り出すことができる。
【００１２】
また、この組立式紙製収納箱は、各左右外側面板の外側辺にそれぞれ折り曲げ線を介して左右内側面板がそれぞれ設けられて各左右外側面板の内向き面にそれぞれ重ねられているので、収納箱が重ねて置かれていても、これら左右外側面板と左右内側面板との左右の重ね合わせ部により機械的強度を十分に得ることができる。
【００１３】
さらに、この組立式紙製収納箱では、中に物を納めるとき、展開状態で第一基板又は第二基板の上に物を置いてから箱として組立ることにより、容易に物の収納を行うことができる。
【００１４】
請求項２に記載の組立式紙製収納箱によれば、左右外側面板とは反対側の左右内側面板の外側端縁に差し込み片がそれぞれ設けられ、第一基板の左右側辺に折り曲げ線に沿って各差し込み片をそれぞれ差し込むスリットがそれぞれ設けられているので、前記各左右外側面板の外側辺の折り曲げ線から左右内側面板を谷折りして前記左右外側面板の内向き面に重ねたとき、左右内側面板の外側端縁に設けられた差し込み片を第一基板の左右側辺に設けられたスリットにそれぞれ差し込むことにより、左右外側面板と左右内側面板とを重ねて縦向きした状態に確実に保持でき、機械的強度を保持することができる。また、各左右内側面板が内部の空間に斜めに突出するのを防止することができる。
【００１５】
請求項３に記載の組立式紙製収納箱によれば、第一基板又は第二基板の上に引き出し板が引き出し可能に配置され、引き出し板には折り曲げ線を介して引き出し取っ手板が設けられているので、前部外側面板と差し込み前部内側面板を開いて引き出し取っ手板を引いて引き出し板を引き出すことにより引き出し板の上の物を容易に取り出すことができる。
【発明を実施するための最良の形態】
【００１６】
以下、本発明に係る組立式紙製収納箱を実施するための最良の形態を、図面を参照して詳細に説明する。
【００１７】
図１乃至図５は本発明に係る組立式紙製収納箱の第１実施例を示したもので、図１は本実施例の組立式紙製収納箱の展開図、図２乃至図５は本実施例の組立式紙製収納箱の組立過程を示す斜視図である。
【００１８】
図１に展開図で示すように本実施例の組立式紙製収納箱は、最初は段ボール等の紙の打ち抜きで形成されている。この組立式紙製収納箱の展開図は、長方形等の四角形の第一基板１の左右側辺には、谷折りの折り曲げ線２，２をそれぞれ介して左右外側面板３，３がそれぞれ設けられている。第一基板１とは反対側の各左右外側面板３，３の側辺、即ち外側辺には、それぞれ谷折りの折り曲げ線４，４を介して左右内側面板５，５がそれぞれ設けられている。左右内側面板５，５の外側端縁には、２つの差し込み片６，６がそれぞれ突出して設けられている。そして、第一基板１の左右側辺には、折り曲げ線２，２に沿って前記各差し込み片６，６をそれぞれ差し込むスリット７，７がそれぞれ設けられている。
【００１９】
また、第一基板１の前側辺には、谷折りの折り曲げ線８を介して前部外側面板９が設けられている。前部外側面板９の左右側辺には、折り曲げ線１０，１０をそれぞれ介して前記左右外側面板３，３と左右内側面板５，５との重ね合わせ部間に前部側から差し込まれる左右差し込み片１１，１１がそれぞれ設けられている。左右差し込み片１１，１１の各１つのコーナ部は、円弧状に面取りされている。
【００２０】
第一基板１の後側辺には、谷折りの折り曲げ線１２を介して後部側面板１３が設けられている。後部側面板１３の左右側辺には、谷折りの折り曲げ線１４，１４をそれぞれ介して左右外側面板３，３と左右内側面板５，５との重ね合わせ部間に後部側から差し込まれる左右差し込み片１５，１５がそれぞれ設けられている。第一基板１とは反対側の後部側面板１３の側辺、即ち外側辺には、谷折りの折り曲げ線１６を介して第一基板１と同形の第二基板１７が設けられている。
【００２１】
後部側面板１３とは反対側の第二基板１７の側辺、即ち外側辺には、折り曲げ線１８を介して差し込み前部内側面板１９が設けられている。第二基板１７の左右側辺には、谷折り折り曲げ線２０，２０をそれぞれ介して左右の差し込み側面板２１，２１がそれぞれ設けられている。左右外側面板３，３と左右内側面板５，５と前部外側面板９と後部側面板１３と差し込み前部内側面板１９と差し込み側面板２１，２１とは、高さ（幅）がそれぞれ等しくなっている。
【００２２】
次に、図２乃至図５を参照して本実施例の組立式紙製収納箱の組立過程と完成状態とを説明する。
【００２３】
先ず、第一基板１の左右側辺の折り曲げ線２，２から左右外側面板３，３を谷折りして第一基板１から立ち上げ、次に、第一基板１の後側辺の折り曲げ線１２から後部側面板１３を谷折りして立ち上げると共に、後部側面板１３の左右側辺の折り曲げ線１４，１４から左右差し込み片１５，１５を谷折りして第一基板１の左右側辺から立ち上がっている左右外側面板３，３の内向き面に沿わせ、次に、左右外側面板３，３の外側辺の折り曲げ線４，４から左右内側面板５，５を谷折りして左右外側面板３，３の内向き面に重ね、左右差し込み片１５，１５を左右外側面板３，３と左右内側面板５，５との重ね合わせ部間の後部側に差し込まれた状態に挟持する。
【００２４】
また、左右外側面板３，３に左右内側面板５，５を重ねたとき、左右内側面板５，５の外側端縁に設けられた差し込み片６，６を第一基板１の左右側辺に設けられたスリット７，７にそれぞれ差し込む（図２）。
【００２５】
次に、後部側面板１３の外側辺の折り曲げ線１６から第二基板１７を第一基板１と対向するように谷折りすると共に、第二基板１７の左右側辺の折り曲げ線２０，２０から左右の差し込み側面板２１，２１を谷折りして左右内側面板５，５の内向き面に沿って差し込み、且つ第二基板１７の外側辺の折り曲げ線１８から差し込み前部内側面板１９を谷折りする（図３、図４）。
【００２６】
次に、第一基板１の前側辺の折り曲げ線８から前部外側面板９を谷折りして立ち上げ差し込み前部内側面板１９の外向き面に当て、且つ前部外側面板９の左右側辺の折り曲げ線１０，１０から左右差し込み片１１，１１を谷折りして左右外側面板３，３と左右内側面板５，５との重ね合わせ部間に前部側から差し込み、差し込み前部内側面板１９が前部外側面板９の内向き面に沿って差し込まれた状態とする。これにより組立式紙製収納箱が完成する（図５）。
【００２７】
なお、組立式紙製収納箱の組立方としては、上記例に限定されるものではなく、例えば、第一基板１の前側辺の折り曲げ線８から前部外側面板９を谷折りして立ち上げ、且つ前部外側面板９の左右側辺の折り曲げ線１０，１０から左右差し込み片１１，１１を谷折りして左右外側面板３，３と左右内側面板５，５との重ね合わせ部間に前部側から差し込み、この後、第二基板１７を第一基板１と対向するように谷折りするとともに、第二基板１７の左右側辺の折り曲げ線２０，２０から左右の差し込み側面板２１，２１を谷折りして左右内側面板５，５の内向き面に沿って差し込むと共に、第二基板１の外側辺の折り曲げ線１８から差し込み前部内側面板１９を谷折りして前部外側面板９の内向き面に沿って差し込んでもよい。
【００２８】
このようにして組み立てられた組立式紙製収納箱は、任意に第一基板１又は第二基板１７の何れか一方を天板とし他方を底板として使用でき、そして、１つの側面を構成する前部外側面板９と差し込み前部内側面板１９が蓋部となって開口されるようになっているので、この収納箱が重ねて置かれていて、下の段の収納箱内の収納物を取り出す際に、上の段の収納箱を下ろすことなく、側面を開口させることにより収納物を容易に取り出すことができる。
【００２９】
また、この組立式紙製収納箱は、左右外側面板３，３と左右内側面板５，５が重ねられているので、収納箱が上下に重ねて置かれていても、機械的強度を十分に得ることができる。また、本例では、左右内側面板５，５の外側端縁に差し込み片６，６が設けられ、第一基板１の左右側辺にスリット７，７が設けられているので、左右内側面板５，５の外側端縁に設けられた差し込み片６，６を第一基板１の左右側辺に設けられたスリット７，７に差し込むことにより、左右外側面板３，３と左右内側面板５，５とを重ねて縦向きした状態に確実に保持でき、機械的強度を保持することができ、また、左右内側面板５，５が内部の空間に斜めに突出するのを防止することができる。
【００３０】
さらに、この組立式紙製収納箱では、中に物を納めるとき、展開状態で第一基板１又は第二基板１７の上に物を置いてから箱として組立ることにより、容易に物の収納を行うことができる。
【００３１】
図６乃至図１０は本発明に係る組立式紙製収納箱の第２実施例を示したもので、図６は本実施例で用いる引き出し板を示す平面図、図７は本実施例の組立式紙製収納箱の組立過程を示す斜視図、図８は図７で組み立てられた組立式紙製収納箱から内部の物を取り出す過程を示す斜視図、図９は本実施例の組立式紙製収納箱の組立過程の他例を示す斜視図、図１０は図９に示す組立式紙製収納箱から内部の物を取り出す過程を示す斜視図である。
【００３２】
本実施例の組立式紙製収納箱では、第１実施例の組立式紙製収納箱の第一基板１又は第二基板１７の内面上に、第一基板１、第二基板１７と概ね同形の引き出し板２２が引き出し可能に配置されている。この引き出し板２２には折り曲げ線２３を介して引き出し取っ手板２４が設けられており、引き出し取っ手板２４の中央部分には、手掛け部２５が開口されている。
【００３３】
図７で組み立てられる組立式紙製収納箱は、第一基板１を底板として使用されるものであり、第一基板１の内面上に引き出し板２２を配置し、引き出し板２２の折り曲げ線２３から引き出し取っ手板２４を谷折りし、そして、第一基板１の前側辺の折り曲げ線８から前部外側面板９を谷折りして立ち上げ引き出し取っ手板２４の外向き面に当て、前部外側面板９の左右側辺の折り曲げ線１０，１０から左右差し込み片１１，１１を谷折りして左右外側面板３，３と左右内側面板５，５との重ね合わせ部間に前部側から差し込む。これにより組立式紙製収納箱が完成する
このように第一基板１上に、引き出し板２２を配置した構造の組立式紙製収納箱は、図８に示すように、引き出し板２２上に例えばコピー用紙の積層体からなる収納物Ａを置いて収納した場合、この収納物Ａを取り出す際には、前部外側面板９、差し込み前部内側面板１９を開き、引き出し取っ手板２４の手掛け部２５を引いて引き出し板２２を引き出すことにより引き出し板２２の上の収納物Ａを全体的に、または一部を容易に取り出すことができる。
【００３４】
なお、組立式紙製収納箱内への収納物Ａの収納は、この組立式紙製収納箱を図１に示すように展開状態にしておき、第一基板１上に引き出し板２２を置き、前述したようにして組立式紙製収納箱の組立を行うことにより、収納物Ａの収納を容易に行うことができる。
【００３５】
図９で組み立てられる組立式紙製収納箱は、第二基板１７を底板として使用されるものであり、第二基板１７の内面上に引き出し板２２を配置し、後は図７と同様の過程で組立式紙製収納箱が完成する
このように第二基板１７上に、引き出し板２２を配置した構造の組立式紙製収納箱は、図１０に示すように、引き出し板２２上に例えばコピー用紙の積層体からなる収納物Ａを置いて収納した場合、この収納物Ａを取り出す際には、前述と同様に、前部外側面板９、差し込み前部内側面板１９を開き、引き出し取っ手板２４の手掛け部２５を引いて引き出し板２２を引き出すことにより引き出し板２２の上の収納物Ａを全体的に、または一部を容易に取り出すことができる。
【図面の簡単な説明】
【００３６】
【図１】本発明に係る組立式紙製収納箱の第１実施例を示した展開図である。
【図２】第１実施例の組立式紙製収納箱の組立過程を示す斜視図である。
【図３】第１実施例の組立式紙製収納箱の組立過程を示す斜視図である。
【図４】第１実施例の組立式紙製収納箱の組立過程を示す斜視図である。
【図５】第１実施例の組立式紙製収納箱の組立過程を示す斜視図である。
【図６】本発明に係る組立式紙製収納箱の第２実施例で用いる引き出し板を示す平面図である。
【図７】第２実施例の組立式紙製収納箱の組立過程を示す斜視図である。
【図８】第７図で組み立てられた組立式紙製収納箱から内部の物を取り出す過程を示す斜視図である。
【図９】第２実施例の組立式紙製収納箱の組立過程の他例を示す斜視図である。
【図１０】第９図で組み立てられた組立式紙製収納箱から内部の物を取り出す過程の斜視図である。
【符号の説明】
【００３７】
１  第一基板
２  折り曲げ線
３  左右外側面板
４  折り曲げ線
５  左右内側面板
６  差し込み片
７  スリット
８  折り曲げ線
９  前部外側面板
１０  折り曲げ線
１１  左右差し込み片
１２  折り曲げ線
１３  後部側面板
１４  折り曲げ線
１５  左右差し込み片
１６  折り曲げ線
１７  第二基板
１８  折り曲げ線
１９  差し込み前部内側面板
２０  折り曲げ線
２１  差し込み側面板
２２  引き出し板
２３  折り曲げ線
２４  引き出し取っ手板
２５  手掛け部
Ａ  収納物
【図１】
2009234653.tif 000003
【図２】
2009234653.tif 000004
【図３】
2009234653.tif 000005
【図４】
2009234653.tif 000006
【図５】
2009234653.tif 000007
【図６】
2009234653.tif 000008
【図７】
2009234653.tif 000009
【図８】
2009234653.tif 000010
【図９】
2009234653.tif 000011
【図１０】
2009234653.tif 000012